(57)【要約】【課題】光ディスク装置において、光ディスクの回転に基づく空気流によって発生する騒音を低減化する。【解決手段】トラバースメカ部内でシャーシに固定された回路基板と光ピックアップとの間を電気的に接続するフレキシブル配線基板を、長さ方向の途中で折り返した状態でトラバースメカ部の表面カバーとボトムカバーとの間に配し、光ピックアップがディスク最内周位置、ディスク最外周位置または該両位置の間にあるとき、その折り返し部が、回転位置に装着された光ディスクの外径位置の外側に突出した構成とし、トラバースメカ部の表面カバーの切欠状部分を通して光ディスク側からトラバースメカ部側に流入した空気を、フレキシブル配線基板で囲んだ空間内に導き、空気流の方向を変換するとともに、トラバースメカ部内での流動抵抗を増大させて流速を減衰させる。【選択図】図４
2009134795.tif 000002
【特許請求の範囲】
【請求項１】
トレイにより光ディスクを装置本体に対し搬入・搬出する方式の光ディスク装置であって、
上記トレイにシャーシの一部分で結合され、上記光ディスクを回転駆動するディスクモータを含み、該トレイとともに移動可能なトラバースメカ部と、
上記トラバースメカ部内において、上記シャーシに固定された回路基板と、
上記トラバースメカ部内において移動可能に支持された光ピックアップと、
上記トラバースメカ部の表面側を覆う表面カバーと、
上記トラバースメカ部の裏面側を覆うボトムカバーと、
上記回路基板と上記光ピックアップとの間を電気的に接続するフレキシブル配線基板であって、長さ方向の途中で折り返され、上記表面カバーと上記ボトムカバーとの間に配され、上記光ピックアップがディスク最内周位置、ディスク最外周位置または該両位置の間にあるとき、その折り返された部分が、回転位置に装着された光ディスクの外径位置の外側に突出したフレキシブル配線基板と、
を備えたことを特徴とする光ディスク装置。
【請求項２】
上記表面カバーは、対物レンズを光ディスクの記録面に対向可能にする切欠状部分が上記光ピックアップの移動方向に設けられ、
上記フレキシブル配線基板は、上記表面カバーの下部にあって、該表面カバーの上記切欠状部分内に露出される上記光ピックアップの移動方向に直角な方向の幅寸法（ｗ２）が、該表面カバーの該切欠状部分の、該光ピックアップの移動方向に直角な方向の幅寸法（ｗ１）の１／２以上とされた構成である請求項１に記載の光ディスク装置。
【請求項３】
上記フレキシブル配線基板は、上記表面カバーの上記切欠状部分に対し、上記光ディスクの回転方向寄りの位置に配される請求項１または請求項２に記載の光ディスク装置。
【請求項４】
上記フレキシブル配線基板は、上記折り返しにより該フレキシブル配線基板の内面間に形成される空間部が、上記表面カバーの上記切欠状部分に連通する構成である請求項１に記載の光ディスク装置。
【発明の詳細な説明】
【技術分野】
【０００１】
本発明は、トレイにより光ディスクを装置本体に対して搬入・搬出する方式の光ディスク装置に係り、特に、トラバースメカ部内において、光ピックアップと、シャーシ側に固定した回路基板との間を接続するフレキシブル配線基板の構造に関する。
【背景技術】
【０００２】
近年、光ディスク装置においては、光ディスクの回転が高速化され、かつ、使用環境も、ノートパソコンなどの普及によってますます多様化している。光ディスク装置において、光ディスクが回転すると、装置内で、該光ディスクの周囲には空気の流れ（以下、空気流という）が発生し、該空気流に伴う騒音も発生する。該騒音は、光ディスクの回転が高速になればなるほど高レベルとなるため、これを低減化するニーズも次第に高まりつつある。
【０００３】
本発明に関連する従来技術であって、特許文献に記載されたものとしては、例えば、特開２００５−９２９１９号公報（特許文献１）や特開２００５−１００５６１号公報（特許文献２）に記載された技術がある。特開２００５−９２９１９号公報には、光ディスク装置として、トレイ３上の光ディスク装着領域外部分であってしかも光ピックアップモジュールのカバー６の開口６ａと対向する部分に開口３ｆを設け、光ディスクの回転によって発生する空気流が、開口３ｆ、開口６ａを通して、トレイ３の光ディスク装着側と反対側の領域（トレイ３と筐体部２ｂではさまれた空間）に効率的に流れ込むようにするとした構成が記載され、特開２００５−１００５６１号公報には、光ディスク装置として、光ディスク装着領域部３ｄまたは光ピックアップモジュール４のカバー６との間に隙間を形成するトレイ３の底部３ｎ上の段差部３ｈに開口３ｋを設け、光ディスクの回転によって発生する空気流が、開口３ｋを通して、トレイ３の光ディスク装着側と反対側の領域（トレイ３と筐体部２ｂではさまれた空間）に効率的に流れ込むようにするとした構成が記載されている。
【０００４】
【特許文献１】特開２００５−９２９１９号公報
【特許文献２】特開２００５−１００５６１号公報
【発明の開示】
【発明が解決しようとする課題】
【０００５】
図７〜図１０は、従来例としての光ディスク装置１００'の説明図で、図７は、トップカバーを外したときの装置表面側の構成を示す平面図、図８は、ボトムケース及びボトムカバーを外したときの装置裏面側の構成を示す斜視図、図９、図１０は、光ディスクの回転で発生する空気流の説明図である。
【０００６】
図７において、（ａ）は、トラバースメカ部２００'の表面カバー７'がある場合の構成、（ｂ）は、表面カバー７'を外した場合の構成を示す。図７及び図８において、トラバースメカ部２００'内においては、シャーシ５'上に、光ディスク２を回転駆動するためのディスクモータ３'や、光ピックアップ４'を移動させるための送りモータ２２'や、光ピックアップ４'の移動を案内するガイド部材１１ｂ'、１１ｃ'が設けられ、さらに、シャーシ５'上に固定された回路基板９０'と光ピックアップ４'との間はフレキシブル配線基板８'によって接続されている。フレキシブル配線基板８'は、コネクタ９２'により回路基板９０'に接続されている。フレキシブル配線基板８'は、表面カバー７'の下側において、折り返された状態で配され、光ディスク２がディスクモータ３'の回転軸上のターンテーブル３ａ'上に載置されクランパ３ｂ'で保持されかつ光ピックアップ４'がディスク最内周位置にある状態のとき、その折り返し部８１'は、該光ディスク２の外径位置２０'の内側にあるようにされている。図７、図８中、１０'は前面パネル、５０'はボトムケース、７０'は、表面カバー７'の平面内に、対物レンズ４ａ'を光ディスク２の記録面に対して対向可能にするために設けられた切欠状部分、６'はトレイ、１２ａ'、１２ｂ'、１２ｃ'は、防振材としてのダンパー、６０'は、ディスクモータ３'をシャーシ５'に固定するためのモータ固定板である。
【０００７】
かかる構成の光ディスク装置１００'において、記録または再生時に光ディスク２を回転させると、風切り音と空気流とが発生する。風切り音は、該光ディスク２の表面部と空気との間の摩擦に基づいて発生する。また、空気流は、空気の粘性に基づいて該光ディスク２の表面の近傍に発生し、光ディスク２の回転角速度が高いディスク外周部ほど該空気流の流速が高くなる。発生した空気流は、表面カバー７'の上方の光ディスク２側の空間にある空気を、図９に示すように、トラバースメカ部２００'の表面カバー７'の切欠状部分７０'を通して、表面カバー７'の下部の空間すなわち光ピックアップ４'やフレキシブル配線基板８'などが配された空間内に、空気流Ｗ１'として流入させる。空気流Ｗ１'としてトラバースメカ部２００'内に流入した空気は、図１０に示すように、さらに、ディスク半径が増大する方向（Ｘ'軸方向）に高い流速で流れ、トレイ６'と前面パネル１０'との間の隙間などから吹出される。特に、フレキシブル配線基板８'の折り返し部８１'と、前面パネル１０'の内面との間の空間１０８'に高速で流入した空気は、前面パネル１０'方向（Ｘ'軸方向）とフレキシブル配線基板８'方向（−Ｘ'軸方向）とにそれぞれ、空気流Ｗ１１'、空気流Ｗ１２'を形成して流れる。フレキシブル配線基板８'方向（−Ｘ'軸方向）では、流れがフレキシブル配線基板８'で遮られるため、流速が減衰され、流量は少なくなる。一方、前面パネル１０'方向（Ｘ'軸方向）では、フレキシブル配線基板８'で遮られないため、流速が高く、流量も多い。空気流Ｗ１１'を形成して前面パネル１０'方向（Ｘ'軸方向）に流れた多量の空気は、さらに、トレイ６'と前面パネル１０'との間の隙間を空気流Ｗ１１ａ'として流れ、ボトムカバー３０'やボトムケース５０'と前面パネル１０'との間の隙間を空気流Ｗ１１ｂ'として流れる。フレキシブル配線基板８'の折り返し部８１'と前面パネル１０'の内面との間の空間１０８'が形成される以外の角度領域においても、ディスク外周部では、流速が高く、流量も多い空気が、トレイ６'と前面パネル１０'との間の隙間や、ボトムカバー３０'やボトムケース５０'と前面パネル１０'との間の隙間に流入し、通過する。このため、光ディスク装置１００'においては、前面パネル１０'側に、これら空気流による騒音が発生し、上記風切り音とともに、装置動作時における装置全体の騒音レベルを増大させる。薄型の光ディスク装置では、光ディスク２の平面と表面カバー７'とが小さい隙間を介して対向する構成のため、光ディスク２の回転により発生した高速の空気流は、ほとんどそのままの速度で切欠状部分７０'からトラバースメカ部内に流入する。このため、該空気流に基づく騒音レベルも高くなる。なお、図１０中、Ｗ２'は、光ディスク２の回転により該光ディスク２の周辺部に発生した空気流のうち、表面カバー７'の切欠状部分７０'に流入しない空気による空気流である。
また、上記特開２００５−９２９１９号公報記載の技術や特開２００５−１００５６１号公報記載の技術はいずれも、効率的な冷却のための空気流を装置内で形成するための技術であって、騒音を低減するための技術ではない。
【０００８】
本発明の課題点は、上記従来技術の状況に鑑み、光ディスク装置において、光ディスクの回転に基づき発生する騒音を低減化することである。
本発明の目的は、かかる課題点を解決し、静音化した薄型の光ディスク装置を提供することにある。
【課題を解決するための手段】
【０００９】
上記課題点を解決するために、本発明では、光ディスク装置において、トラバースメカ部内でシャーシに固定された回路基板と光ピックアップとの間を電気的に接続するフレキシブル配線基板（ＦＰＣ）を、長さ方向の途中で折り返した状態でトラバースメカ部の表面カバーとボトムカバーとの間に配し、光ピックアップがディスク最内周位置、ディスク最外周位置または該両位置の間にあるとき、該フレキシブル配線基板の折り返し部が、回転位置に装着された光ディスクの外径位置の外側に突出した構成とする。該突出した折り返し部は、該フレキシブル配線基板と前面パネル内面との間に形成される空間の大きさを縮小させ、光ディスクの回転時に該空間に流入する空気量を減少させるとともに、該フレキシブル配線基板の折り返しにより該フレキシブル配線基板の内面で囲まれた空間側に、光ディスクの回転時に該光ディスクの周囲に発生した空気流を導いて空気流の方向を変換するとともに、トラバースメカ部内での流動抵抗を増大させて流速を減衰させる。
【発明の効果】
【００１０】
本発明によれば、光ディスク装置において、光ディスクの回転による空気流に基づく騒音を、簡単な構成により低減化することができる。
【発明を実施するための最良の形態】
【００１１】
以下、本発明の実施例につき、図面を用いて説明する。
図１〜図６は、本発明の実施例の説明図である。図１は、本発明の実施例としての光ディスク装置の構成図であって、トップカバーを外したときの装置表面側の構成を示す平面図、図２は、図１の光ディスク装置においてボトムケース及びボトムカバーを外したときの装置裏面側の構成を示す斜視図、図３は、図１の光ディスク装置において光ディスクの回転で発生する空気流を説明する装置斜視図、図４は、図１の光ディスク装置において光ディスクの回転で発生する空気流を説明する装置断面図、図５は、図１の光ディスク装置においてトラバースメカ部の表面カバーの切欠状部分における空気流入領域の大きさについての説明図である。図６は、図１の光ディスク装置における騒音レベルの実測結果を示す図である。
【００１２】
図１及び図２において、１００は、本発明の実施例としての薄型の光ディスク装置、２００はトラバースメカ部、２は、光ディスク装置１００内に回転可能に装着された状態にある記録媒体としての光ディスク、３は、光ディスク２を回転駆動するディスクモータ、３ａは、光ディスク２を載置するターンテーブル、３ｂは、光ディスク２をクランプするクランパ、４は光ピックアップ、４ａは対物レンズ、５は、トラバースメカ部２００の基台部分を構成するシャーシ、６は、光ディスク２を装置本体内に搬入したり、装置本体内から搬出したりするトレイ、７は、トラバースメカ部２００の表面側を覆う表面カバー、７０は、光ピックアップ４の移動方向に設けられ、光ピックアップ４が光ディスク２の略半径方向（図１において±Ｘ'軸方向）に移動するとき、対物レンズ４ａを光ディスクの記録面に対向可能にする表面カバー７の切欠状部分、１０は前面パネル、２２は、光ピックアップ４を光ディスク２の略半径方向に移動させるための駆動力を発生する送りモータ、１１ｂ、１１ｃは、光ピックアップ４を支えかつ移動を案内するガイド部材、９０は、シャーシ上に固定され、光ピックアップ４との間で信号をやり取りする回路が搭載された回路基板、８は、光ピックアップ４と回路基板９０との間を電気的に接続する可撓性のフレキシブル配線基板（Ｆｌｅｘｉｂｌｅ  Ｐｒｉｎｔｅｄ  Ｃｉｒｃｕｉｔ）、９２は、フレキシブル配線基板（ＦＰＣ）８を回路基板９０に接続するコネクタ、１２ａ、１２ｂ、１２ｃはそれぞれ、防振材としてのダンパー、６０は、ディスクモータ３をシャーシ５に固定するためのモータ固定板、５０は、装置の裏面側を覆うボトムケースである。送りモータ２２とガイド部材１１ｂ、１１ｃは、該送りモータ２２によって回転駆動されるリードスクリュー部材（図示なし）とともに、光ピックアップ４を光ディスク２の略半径方向（±Ｘ'軸方向）に移動させるための移動・案内機構部を構成する。トラバースメカ部２００は、これらの、光ピックアップ４、移動・案内機構部、ディスクモータ３、モータ固定板６０、シャーシ５、回路基板９０、フレキシブル配線基板８等によって構成されている。トラバースメカ部２００は、シャーシ５の一部分においてトレイ６に結合されている。該結合部では、シャーシ５は、ダンパー１２ａ、１２ｂ、１２ｃを介してトレイ６に結合されている。トラバースメカ部の裏面側（−Ｚ軸方向側）にはボトムカバー（図示なし）が設けられ、該ボトムカバーがトラバースメカ部の該裏面側を覆っている。２０は、光ディスク装置１００内に回転可能に装着された状態すなわちディスクモータ３の回転軸上のターンテーブル３ａ上に載置され、クランパ３ｂでクランプされた状態にある光ディスク２の外径位置である。
【００１３】
フレキシブル配線基板８は、表面カバー７の下部の空間（−Ｚ軸方向側の空間）すなわち該表面カバー７とボトムカバー（図示なし）との間の空間に、折り返された状態で配されている。また、フレキシブル配線基板８は、表面カバー７の切欠状部分７０に対し、光ディスク２の回転方向（図１のクランパ３ｂ側から見て時計回り方向）寄りの位置に配されている。８１は、フレキシブル配線基板８の湾曲状の折り返し部、８ａは、折り返しによって形成されるフレキシブル配線基板８の対向面（以下、内面という）である。フレキシブル配線基板８は、その長さ方向を表面カバー７の切欠状部分７０の長さ方向（±Ｘ'軸方向）に沿わせて配され、折り返し部８１は、光ピックアップ４が、図１及び図２に示すように光ディスク２のディスク最内周位置（光ディスク装置１００の動作における光ピックアップ４の移動範囲内で光ディスク２の回転中心に最も近い内周側の位置）にある状態時に、光ディスク２の外径位置２０の外側に突出した状態で形成される。光ピックアップ４が、ディスク最外周位置（光ディスク装置１００の動作における光ピックアップ４の移動範囲内で光ディスク２の回転中心から最も遠い外周側の位置）や上記ディスク最内周位置と該ディスク最外周位置との間にある状態時にももちろん、折り返し部８１は、光ディスク２の外径位置２０の外側に突出した状態で形成される。光ピックアップ４がディスク外周側（Ｘ'軸方向側）に向かって移動され、ディスク最内周位置とディスク最外周位置との間の位置や、ディスク最外周位置となったときは、ディスク最内周位置にあるときよりも、該折り返し部８１の上記外径位置２０からの突出量は増大し、ディスク最外周位置となったときに該突出量は最大となる。フレキシブル配線基板８は、その平面の全部または一部が表面カバー７の切欠状部分７０から露出された状態とされている。すなわち、フレキシブル配線基板８は、そのＺ軸方向の正投影面の全部または一部が表面カバー７の切欠状部分７０のＸＹ平面に重なるようにされている。折り返し部８１が上記外径位置２０を越えて突出することにより、該フレキシブル配線基板８と、前面パネル１０の内面との間に形成される空間の大きさが縮小される。該空間が縮小されると、光ディスク２の回転時に表面カバー７の切欠状部分７０を通して該空間に流入する空気量が減るとともに、特にディスク外周部側で発生した空気流の大部分が、該フレキシブル配線基板８の内面８ａで囲まれた空間側に、表面カバー７の切欠状部分７０を通して流入する。
以下、説明中で用いる図１及び図２の構成要素には、図１及び図２の場合と同じ符号を付して用いる。
【００１４】
図３は、図１の光ディスク装置１００において光ディスク２の回転で発生する空気流を説明する装置斜視図、図４は、同じく光ディスク２の回転で発生する空気流を説明する装置断面図である。いずれも、光ピックアップ４がディスク最内周位置にあるときの状態を示す。
図３及び図４において、３０は、トラバースメカ部２００の裏面側（−Ｚ軸方向側）を覆うボトムカバー、８２は、フレキシブル配線基板８の内面８ａで囲まれた空間、１０８は、フレキシブル配線基板８の折り返し部８１と前面パネル１０の内面との間に形成された空間である。空間８２は、表面カバー７の切欠状部分７０に連通している。光ディスク装置１００においては、フレキシブル配線基板８の折り返し部８１が光ディスク２の外径位置２０を越えて突出する構成とされているため、空間１０８は小さく、空間８２は大きい。かかる構成の光ディスク装置１００において、記録または再生時に光ディスク２をディスクモータ３により回転させると、該回転により、空気の粘性に基づいて該光ディスク２の表面の近傍に、該光ディスク２の回転方向に沿う方向の空気流が発生する。光ディスク２の回転速度が高いほど、また、光ディスク２の回転角速度が高いディスク外周部ほど、流速の高い空気流が発生する。発生した空気流は、表面カバー７の上方（Ｚ軸方向側）の光ディスク２側の空間にある空気を、該表面カバー７の切欠状部分７０を通して、表面カバー７の下部（−Ｚ軸方向側）の空間すなわちトラバースメカ部２００内の光ピックアップ４やフレキシブル配線基板８などが配された空間に、空気流Ｗ１として流入する。空気流Ｗ１としてトラバースメカ部２００内に流入した空気は、さらに、ディスク半径が増大する方向（Ｘ'軸方向）にも流れながら、その大部分が、まず、フレキシブル配線基板８の内面８ａで囲まれた大きな空間８２に流入し、残りが、フレキシブル配線基板８の折り返し部８１と前面パネル１０の内面との間の小さな空間１０８や、該フレキシブル配線基板８と表面カバー７との間の空間１０９などに流入する。空間８２に流入した空気のうちの多くは、該空間８２内でフレキシブル配線基板８の内面８ａのうち特に折り返し部８１の曲面状の内面８ａに沿って巻き込まれるように方向を変え、空気流Ｗ１２として、ディスク半径が減少する方向（−Ｘ'軸方向）に向かって流れる。また、空間８２に流入した空気のうち、上記空気流Ｗ１２の空気とはならない残りのものは、該空間８２を出て、フレキシブル配線基板８の配された角度領域の次の角度領域の空間に流れて行くが、既に空間８２を通過するときにフレキシブル配線基板８の内面８ａとの間の摩擦などに基づく流動抵抗により流速が減衰されているため、フレキシブル配線基板８が配されている角度領域の次の角度領域の空間において、前面パネル１０方向に向かうときの空気流の流速も低下している。このため、該次の角度領域において、トレイ６と前面パネル１０との間の隙間を流れる空気や、ボトムカバー３０やボトムケース５０と前面パネル１０との間の隙間を流れる空気の量も少なくなる。フレキシブル配線基板８と表面カバー７との間の空間１０９に流入した空気も、該空間１０９内を流動する過程で、フレキシブル配線基板８の表面や表面カバー７の内面との間の摩擦などに基づく流動抵抗により流速が減衰される。このため、トラバースメカ部内において、空気流が、フレキシブル配線基板８が配されている角度領域の次の角度領域の空間において、前面パネル１０方向に向かうときは流速も低下しており、���次の角度領域において、トレイ６と前面パネル１０との間の隙間を流れる空気や、ボトムカバー３０やボトムケース５０と前面パネル１０との間の隙間を流れる空気の量は少なくなる。また、空気流Ｗ１としてトラバースメカ部２００内に流入した空気のうち、空間１０８に流入する空気量は少ない。このため、フレキシブル配線基板８の配された角度領域において、トレイ６と前面パネル１０との間の隙間を空気流Ｗ３として流れる空気や、ボトムカバー３０やボトムケース５０と前面パネル１０との間の隙間を流れる空気はわずかとなる。従って、光ディスク装置１００においては、これらの各空気流によって前面パネル１０側に発生する騒音レベルは、従来の光ディスク装置１００'の場合よりも低下する。なお、図４中、Ｗ２は、光ディスク２の回転により発生した空気流のうち、表面カバー７の切欠状部分７０に流入しない空気による空気流である。なお、フレキシブル配線基板８の内面８ａで囲まれた空間８２は、光ディスク２の回転方向に対し上流側の方が下流側よりも大きな開口を形成するようにしてもよい。
以下、説明中で用いる構成要素のうち、図３及び図４に記載した構成要素には、図３及び図４の場合と同じ符号を付して用いる。
【００１５】
図５は、図１の光ディスク装置１００におけるトラバースメカ部２００の表面カバー７の切欠状部分７０とフレキシブル配線基板８の露出寸法との関係についての説明図である。
図５において、ｗ１は、表面カバー７の切欠状部分７０の、光ピックアップ４の移動方向に直角な方向（±Ｙ'軸方向）の幅寸法、ｗ２は、フレキシブル配線基板８の、切欠状部分７０内に露出される光ピックアップの移動方向に直角な方向（±Ｙ'軸方向）の幅寸法である。幅寸法ｗ２の幅寸法ｗ１に対する比率が小さいと、切欠状部分７０からトラバースメカ部２００の内部に流入する空気流の流動抵抗が小さいため、流入する空気の流速は高く、流入量も多い。このため、騒音レベルも増大する。幅寸法ｗ２の幅寸法ｗ１に対する比率が増大するにつれて、切欠状部分７０からトラバースメカ部２００の内部に流入する空気流の流動抵抗が増大するため、流入する空気の流速と流入量が減少し、騒音レベルも低下する。幅寸法ｗ２の値を変化させて、光ディスク装置１００の騒音特性につき、実験を行った結果、幅寸法ｗ２が、幅寸法ｗ１の１／２以上の範囲にあるときは、１／２未満の範囲にあるときよりも騒音レベルが低減された。これに基づき、光ディスク装置１００においては、上記幅寸法ｗ２を、上記幅寸法ｗ１の１／２以上の範囲としている。
【００１６】
図６は、図１の光ディスク装置１００における騒音レベルの実測結果例を示す図である。
図６において、Ａは、従来の光ディスク装置１００'の騒音レベル、Ｂは、本発明の実施例の光ディスク装置１００の場合であって、表面カバー７の切欠状部分７０内に露出されるフレキシブル配線基板８の幅寸法ｗ２を、表面カバー７の切欠状部分７０の幅寸法ｗ１の１／２未満とした場合の騒音レベル、Ｃは、本発明の実施例の光ディスク装置１００の場合であって、上記幅寸法ｗ２を、上記幅寸法ｗ１の１／２以上とした場合の騒音レベルである。本実測結果からも明らかなように、フレキシブル配線基板８の長さを増大させ、その折り返し部を、光ディスクの外径位置の外側に突出した構成とすることで、騒音レベルを低下させることができ（Ｂ）、また、これに加えてさらに、表面カバー７の切欠状部分７０内に露出されるフレキシブル配線基板８の幅寸法ｗ２を、表面カバー７の切欠状部分７０の幅寸法ｗ１の１／２以上とすることで、騒音レベルを一層低下させることができる（Ｃ）。
【００１７】
上記構成の光ディスク装置１００によれば、薄型の装置構成においても、光ディスクの回転に基づき発生する空気流に起因した騒音を低減化することができる。
【００１８】
上記実施例では、フレキシブル配線基板８は、その折り返し部を、なお、実施例としての光ディスク装置１００に用いた可撓性のフレキシブル配線基板８は、平板状配線ケーブル（Ｆｌｅｘｉｂｌｅ  Ｆｌａｔ  Ｃａｂｌｅ）なども含むものとする。
【図面の簡単な説明】
【００１９】
【図１】本発明の実施例としての光ディスク装置におけるトップカバーを外したときの装置表面側の構成を示す平面図である。
【図２】図１の光ディスク装置においてボトムケース及びボトムカバーを外したときの装置裏面側の構成を示す斜視図である。
【図３】図１の光ディスク装置において光ディスクの回転で発生する空気流を説明する装置斜視図である。
【図４】図１の光ディスク装置において光ディスクの回転で発生する空気流を説明する装置断面図である。
【図５】図１の光ディスク装置１におけるトラバースメカ部の表面カバーの切欠状部分とフレキシブル配線基板の露出寸法との関係についての説明図である。
【図６】図１の光ディスク装置における騒音レベルの実測結果を示す図である。
【図７】従来の光ディスク装置におけるトップカバーを外したときの装置表面側の構成を示す平面図である。
【図８】従来の光ディスク装置におけるボトムケース及びボトムカバーを外したときの装置裏面側の構成を示す斜視図である。
【図９】従来の光ディスク装置において光ディスクの回転で発生する空気流を説明する装置斜視図である。
【図１０】従来の光ディスク装置において光ディスクの回転で発生する空気流を説明する装置断面図である。
【符号の説明】
【００２０】
１００、１００'…光ディスク装置、
２００、２００'…トラバースメカ部、
２…光ディスク、
３、３'…ディスクモータ、
３ａ、３ａ'…ターンテーブル、
３ｂ、３ｂ'…クランパ、
４、４'…光ピックアップ、
４ａ、４ａ'…対物レンズ、
５、５'…シャーシ、
６、６'…トレイ、
７、７'…カバー、
８、８'…フレキシブル配線基板、
８ａ、８ａ'…フレキシブル配線基板の内面、
１０、１０'…前面パネル、
１１ｂ、１１ｃ、１１ｂ'、１１ｃ'…ガイド部材、
２２、２２'…送りモータ、
３０、３０'…ボトムカバー、
４０、４０'…トップカバー、
５０、５０'…ボトムケース、
６０、６０'…モータ固定板、
８１、８１'…フレキシブル配線基板の折り返し部、
８２、１０８、１０８'、１０９…空間、
１２ａ、１２ｂ、１２ｃ、１２ａ'、１２ｂ'、１２ｃ'…ダンパー、
９０、９０'…回路基板、
９２、９２'…コネクタ。
【図１】
2009134795.tif 000003
【図２】
2009134795.tif 000004
【図３】
2009134795.tif 000005
【図４】
2009134795.tif 000006
【図５】
2009134795.tif 000007
【図６】
2009134795.tif 000008
【図７】
2009134795.tif 000009
【図８】
2009134795.tif 000010
【図９】
2009134795.tif 000011
【図１０】
2009134795.tif 000012